(57)【要約】      （修正有）【課題】店舗前の人の数、さらには人の流れを検出し、最適な照明と店舗情報を提供する。【解決手段】人検知センサ１００と、照明器具３００と、人検知センサ１００の検知情報に応じて照明器具を点灯させる制御部２００とを有する店舗用照明システムであって、人検知センサは、店舗入口の店舗外側近傍を検知範囲Ｒｓとし、制御部は、人がいるとの検知情報を受けた場合に、人がいないとの検知情報を受けた場合よりも強い出力で、少なくとも店舗入口近傍に光を照射する照明器具を点灯制御する店舗用照明システムである。この構成により、人検知センサは、店舗入口の店舗外側近傍を検知範囲とし、制御部は、人がいるとの検知情報を受けた場合に、人がいないとの検知情報を受けた場合よりも強い出力で、少なくとも店舗入口近傍に光を照射する照明器具を点灯制御するので、店舗入口（およびその付近）を通過する通行人に対する誘導効果が向上する。【選択図】図１
2010146827.tif 000002
【特許請求の範囲】
【請求項１】
人検知センサと、照明器具と、前記人検知センサの検知情報に応じて照明器具を点灯制御する制御部とを有する店舗用照明システムであって、
前記人検知センサは、店舗入口の店舗外側近傍を検知範囲とし、
前記制御部は、人がいるとの検知情報を受けた場合に、人がいないとの検知情報を受けた場合よりも強い出力で、少なくとも店舗入口近傍に光を照射する照明器具を点灯制御することを特徴とする店舗用照明システム。
【請求項２】
請求項１に記載の店舗用照明システムであって、
店舗外側に向けて配置されるディスプレイ部と、
前記ディスプレイ部の表示内容を制御する表示制御部と、
前記人検知センサの検知情報に従って一定時間に検知される人数を計数する計数部とを有し、
前記表示制御部は、前記計数部の計数結果に応じて前記ディスプレイ部に表示する情報を切り替えることを特徴とする店舗用照明システム。
【請求項３】
請求項２に記載の店舗用照明システムであって、
前記人検知センサは、顔認証システムを具備しており、
前記表示制御部は、前記顔認証システムで得られた顔認証情報に応じて前記ディスプレイ部に表示する情報を切り替えることを特徴とする店舗用照明システム。
【発明の詳細な説明】
【技術分野】
【０００１】
本発明は、店舗用照明システムに係り、特に店舗入口の店舗外側近傍の人の数に応じて店舗入口近傍の照明器具を点灯制御したり、提供情報を変化させる照明システムに関するものである。
【背景技術】
【０００２】
従来、センサを用いて光源の光出力を制御する照明器具は、センサに接続された器具がセンサの検知結果（例えば在不在の検知）によって制御される構成になっている。
また、店舗用の照明システムでは、店舗内のカメラの撮像結果から、店舗内に滞在する人数を把握し、店舗内の照明の出力を制御する技術が提案されている（たとえば特許文献１参照）。
また、個人を識別してパーソナルな制御を行おうとした場合に個人の認証などが必要となるが、顔画像から実年齢を推定するような個人の属性を判断する技術も提案されている（たとえば特許文献２参照）。
【０００３】
【特許文献１】特開２００４−１７８１２９号公報
【特許文献２】特開２００５−１４８８８０号公報
【発明の開示】
【発明が解決しようとする課題】
【０００４】
上記特許文献１のように、店舗内のカメラの撮像結果から、店舗内人数を把握し、店舗内の照明の出力を制御する照明システムでは、店舗入口を通過する通行人に対する誘導効果が十分ではない。
本発明は、前記実情に鑑みてなされたもので、店舗前の人の数、さらには人の流れを検出し、最適な照明を提供し、動員能力の高い、魅力的な店舗照明を実現可能な店舗用照明システムを提供することを目的とする。
また本発明では、店舗の前の人の属性を検出し、最適な店舗情報を提供し、動員能力が高く、魅力的な店舗照明を実現可能な店舗用照明システムを提供することを目的とする。
【課題を解決するための手段】
【０００５】
上記課題を達成するため、本発明の店舗用照明システムは、店舗入口の店舗外側近傍の人の数に応じて少なくとも店舗入口近傍に光を照射する照明器具を点灯制御するものである。そして望ましくは、人の属性を検知し、店舗外側に表示する提供情報を変化させるようにしている。
【０００６】
即ち、本発明は、人検知センサと、照明器具と、人検知センサの検知情報に応じて照明器具を点灯させる制御部とを有する店舗用照明システムであって、人検知センサは、店舗入口の店舗外側近傍を検知範囲とし、制御部は、人がいるとの検知情報を受けた場合に、人がいないとの検知情報を受けた場合よりも強い出力で、少なくとも店舗入口近傍に光を照射する照明器具を点灯制御することを特徴とする店舗用照明システムである。
この構成によれば、人検知センサは、店舗入口の店舗外側近傍を検知範囲とし、制御部は、人がいるとの検知情報を受けた場合に、人がいないとの検知情報を受けた場合よりも強い出力で、少なくとも店舗入口近傍に光を照射する照明器具を点灯制御するので、店舗入口（およびその付近）を通過する通行人に対する誘導効果が向上する。
【０００７】
また望ましくは、さらに店舗外側に向けて配置されるディスプレイ部と、ディスプレイ部の表示内容を制御する表示制御部と、人検知センサの検知情報に従って一定時間に検知される人数を計数する計数部とを有し、表示制御部は、計数部の計数結果に応じてディスプレイ部に表示する情報を切り替えることを特徴とする。
この構成により、店舗前の人を計数することによって、通行人が少ない場合は、通行者向けの情報を、通行人が多い場合には店舗の宣伝情報を、といったように通行人数に応じて、誘導効果の高い表示を行うことができる。多人数の時には積極的に店舗ＰＲをするというように、店舗側でより有効な情報提供を可能にする。
【０００８】
また望ましくは、人検知センサが、顔認証システムを具備するようにし、表示制御部は、顔認証情報に応じてディスプレイ部に表示する情報を切り替えるようにしている。
この構成により  、顔認証システムで個人を識別（属性を判断）することによって、顧客ごとのキメ細やかな店舗ＰＲが可能となり、さらに誘導効果を向上させることができる。
【発明の効果】
【０００９】
上記構成によれば、人がいるとの検知情報を受けた場合に、人がいないとの検知情報を受けた場合よりも強い出力で、少なくとも店舗入口近傍に光を照射するように、照明器具を点灯制御するので、店舗入口（およびその付近）を通過する通行人に対する誘導効果の高い店舗用照明システムを提供することができる。
【発明を実施するための最良の形態】
【００１０】
以下、本発明の実施の形態について図面を参照しつつ詳細に説明する。
(実施の形態１)
本実施の形態の照明システムの概要を、図１に示す。この照明システムは、図２（ａ）に示すように、人検知センサが店舗前に人を検知していない場合は適度な明るさの通常照明モードで店舗前を照明し、図２（ｂ）に示すように、人を検知した場合に店舗入口部の特に明るくする入口照明モードを実現する。
【００１１】
この店舗用照明システムは、図３に示すように、人検知センサ１００と、照明器具３００と、前記人検知センサ１００の検知情報に応じて照明器具３００を点灯制御する制御部２００とを有している。そしてこの人検知センサ１００は、店舗入口Ｄの外側近傍を検知範囲Ｒｓとし、制御部２００は、人がいるとの検知情報を受けた場合に、人がいないとの検知情報を受けた場合よりも強い出力で、少なくとも店舗入口近傍に光を照射する照明器具３００を点灯制御する。ここで制御部２００は、光出力設定部２０１を具備している。
また照明器具３００は、光出力設定部２０１からの信号を受け、調光信号を出力する調光信号出力部３０１と、この調光信号出力部３０１で調光される光源３０２とを具備している。
ここで制御部は、コンピュータプログラムによって実行される演算装置で構成される。
【００１２】
次に、システムの動作をフローチャートを参照しつつ説明する。
図４は、本発明の実施の形態１の店舗用照明システムの動作を示すフローチャートである。人検知センサ１００と、照明器具３００と、人検知センサ１００の検知情報に応じて照明器具を点灯させる制御部２００とを有する店舗用照明システムであって、人検知センサ１００は、店舗入口の店舗外側近傍を検知範囲とする。ここでまず通常照明モードに設定する（ステップＳ１００１）。ついで、制御部２００は、人検知センサ１００の出力から人がいるか否かを判断する（ステップＳ１００２）。そして人がいるとの検知情報を受けた場合に、人がいないとの検知情報を受けた場合（通常照明モード）よりも強い（予め設定された）出力で、少なくとも店舗入口近傍に光を照射する照明器具を点灯制御し、入口照明モードに切り替える（ステップＳ１００３）。
これにより、人がいると判断されたときに、店舗入口の照明器具を大出力で点灯するようにしているため、店舗への誘導効果が向上する。
【００１３】
（実施の形態２）
次に本発明の実施の形態２について説明する。
図５が本発明の実施の形態２の店舗用照明システムのシステム構成図、図６が同店舗用照明システムの動作のフローチャートである。本実施の形態２の店舗用照明システムは、前記実施の形態１の店舗用照明システムに加えて、店舗外側に向けて配置されるディスプレイ部４００を具備したことを特徴とする。そしてさらにこの店舗用照明システムは、このディスプレイ部４００の表示内容を制御する表示制御部２０２を具備し、表示制御部２０２は表示情報選定部２０３を具備している。またさらに、人検知センサの検知情報に従って一定時間に検知される人数を計数する計数部（演算部）５００を有し、表示制御部２０２は、計数部の計数結果に応じてディスプレイ部４００に表示する情報を切り替えることを特徴とする。
ここで人検知センサは、CCDカメラなどの画像センサを用いている。そして人の計数に際しては、人の形を切り出し、その数を数えることで実現される。
【００１４】
このように、本実施の形態では、上記実施の形態１のシステム構成に加えて、店舗外側に向けて配置されるディスプレイ部４００と、ディスプレイ部４００の表示内容を制御する表示制御部２０２と、人検知センサ１００の検知情報に従って一定時間に検知される人数を計数する人数計測部５０１を備えた計数部５００とを有し、表示制御部２０２は、計数部の計数結果に応じてディスプレイ部に表示する情報を切り替える。
つまり、店舗外側に向けて配置されたディスプレイ部４００の表示情報を人の数によってその内容を変え、お奨め商品情報を目の前のディスプレイ等に表示する。
【００１５】
この表示制御部２０２は、通行人が少ない場合は、図７（ａ）に示すように、大まかに分類された商品情報など通行者向けの情報（例えば、女性向けブランド、若手サラリーマン向けスーツ情報）を、通行人が多い場合には、図７（ｂ）に示すように、店舗の宣伝情報（例えば、新商品情報、店舗コンセプト情報）などを表示する。
【００１６】
次に、この店舗用照明システムの動作について図６のフローチャートを参照しつつ説明する。
ステップＳ１００３までは前記実施の形態１と同様である。
そして人が存在すると判断されて、入り口照明モードで入り口近傍の照明器具が点灯される。この後、計数部５００の人数計測部５０１では、画像センサである人検知センサの出力から人の切り出しを行い、切り出された人の数を数えることで、人数計測を行う（ステップＳ１００４）。
そして情報の選定がなされ（ステップＳ１００５）、ディスプレイ部４００に情報が表示される（ステップＳ１００６）。このとき、例えば９人以上の通行者が検知されると通行人が多いと判断され、あらかじめ決められた店舗の宣伝情報などが表示される。一方、検知された通行者の数が８人以下であるときは大まかに分類された商品情報など通行者向けの情報（例えば、女性向けブランド、若手サラリーマン向けスーツ情報）を表示する。
この構成によっても店舗への誘導効果が向上する。
【００１７】
（実施の形態３）
次に本発明の実施の形態３の店舗用照明システムに説明する。図８が本発明の実施の形態３の店舗用照明システムのシステム構成図、図９はその動作のフローチャートである。この店舗用照明システムは、上記実施の形態２のシステム構成に加えて、計数部５００が人数計測部５０１に加えて人検知センサ１００の出力に基づいて顔認証を行う顔認証部５０２を具備し、この顔認証部５０２を顔認証システムとして用いて、属性判定を行うように構成されている。
【００１８】
そして表示制御部２０２は、顔認証情報に応じてディスプレイ部４００に表示する情報を切り替えるように構成されている。そしてこの店舗用照明システムでは、計数部で人が多いと判断されれば情報表示モードが店舗優先モードとなって図７（ｂ）に示したように店舗の宣伝情報（人数のレベルによっては通行者向けの大まかな情報）を表示する。
【００１９】
一方、人が少ないと判断されれば情報表示モードが顧客優先モードとなって顔認証システムで個人を識別（属性を判断）することによって、図１０（ａ）に示すように顧客ごとのキメ細やかな商品情報や店舗ＰＲ情報を提供する。また、人がいない場合は図１０（ｂ）に示すように控えめな情報提供がなされる。顔認証部については詳細には説明しないが、例えばPTZ(視野制御)法を用いて顔をズームアップし、この顔データを用いて画像処理を行い、特許文献２に記載のように、人検知センサによって得られた画像情報から、特徴量を抽出し、あらかじめ検出され、平均値として格納されている基準特徴情報と照合し年齢層や性別などの属性を判断するものである。
【００２０】
次に、この店舗用照明システムの動作について図９のフローチャートを参照しつつ説明する。
ステップＳ１００１から人数計測ステップ１００４までは前記実施の形態２の店舗用照明システムと同様であるが、本実施の形態では、人数計測部の出力から、人数によって表示モードの切り替えを行う。そしてあらかじめ決定された閾値よりも大きいときは人が多いと判断され店舗優先モードに移行し、前記実施の形態２と同様、図７（ａ）および（ｂ）に示したような店舗情報をディスプレイ部に表示する（ステップＳ２００１）。
また人が少ないと判断されたときは顧客優先モードに移行する（ステップＳ００２）。
【００２１】
顧客優先モードでは、人検知センサの出力から顔認証部で顔認証を行い属性を判断し、男性であるか女性であるか、若年層であるか壮年層であるかなどの判断を行い、図１０（ａ）に示すように顧客層に合わせたきめ細やかな情報を提供する。
また、人がいない場合には控えめな情報を提供するようにディスプレイ部の表示情報を制御する（図１０（ｂ））。
そして実際の表示は前記実施の形態２で説明してきたのと同様に、表示情報制御部２０２が表示情報選定部２０３で選定された表示情報をディスプレイ部４００の情報表示部に出力する。
【００２２】
このようにして、店舗外側に向けて配置されたディスプレイ部の表示情報も人の数によってその内容を変えたり、人の属性によって特定の情報を提供する。例えば、多人数の場合は積極的に店舗ＰＲ情報をディスプレイ部に表示し、人が少なくなれば、その属性までも判断し、その人にあったお奨め商品情報を目の前のディスプレイ等に表示する。従って、ディスプレイ部４００に、店舗前の通行人情報に応じて適切な情報が表示され、これにより、さらに店舗への誘導効果が向上する。
【００２３】
なお、前記実施の形態３では、顔認証によって人の属性を判断し、その属性に応じた特定の情報を提供するようにしたが、例えば女性客が、紳士用ネクタイや紳士用靴下などをみることもあり、必ずしも属性で判断するのは適切でない場合もある。従って属性で判断するのではなく、店頭の所定の場所に配置した、代表的な商品に対して顔を向けている人の多い商品ジャンルの情報を誘致情報としてディスプレイ部に流すようにしてもよい。この場合は、人の顔の方向を検知し、この方向の先にある商品のジャンルを検知し、この検知結果に基づいて、特定情報を選択する。この方法によっても、誘致効果を高めることが可能となる。
【図面の簡単な説明】
【００２４】
【図１】本発明の実施の形態１の店舗用照明システムの使用状態の説明図
【図２】本発明の実施の形態１の店舗用照明システムの使用状態における代表的な照明モードの説明図
【図３】同システムの構成を示すブロック図
【図４】同システムのフローチャート図
【図５】本発明の実施の形態２の店舗用照明システムの構成を示すブロック図
【図６】同システムのフローチャート図
【図７】本発明の実施の形態２の店舗用照明システムの使用状態における代表的な照明モードの説明図
【図８】本発明の実施の形態３の店舗用照明システムの構成を示すブロック図
【図９】同システムのフローチャート図
【図１０】本発明の実施の形態３の店舗用照明システムの使用状態における代表的な照明モードの説明図
【符号の説明】
【００２５】
１００  人検知センサ
２００  制御部
３００  照明器具
４００  ディスプレイ部
５００  演算部
【図３】
2010146827.tif 000003
【図４】
2010146827.tif 000004
【図５】
2010146827.tif 000005
【図６】
2010146827.tif 000006
【図８】
2010146827.tif 000007
【図９】
2010146827.tif 000008
【図１】
2010146827.tif 000009
【図２】
2010146827.tif 000010
【図７】
2010146827.tif 000011
【図１０】
2010146827.tif 000012